(57)【要約】【課題】扱いやすさが向上した無線通信装置を提供することを目的とする。【解決手段】アンテナ１によって複数の基地局からの無線信号を着信し、復調し、所定の信号に変換する複数の無線部である送受信機２ａ〜２ｃと、送受信機２ａ〜２ｃから信号を受け通話の制御している制御手段３と、着脱可能な電話番号等の個人データなどを蓄積した複数のメモリ７，８，９と、通信を行う際どの個人データを用いるか識別する識別手段６と、それぞれの個人データに既に登録してある表示方法を行う表示手段４と、呼び出し方法を行う呼出手段５とによって構成され無線通信装置において、メモリ７，８，９を複数装着することで、電話回線等の無線通信回線を複数同時に使用可能なことを特徴とする。【選択図】　図１
2004104298.tif 000002
【特許請求の範囲】
【請求項１】
電話番号などの個人データが外部の着脱可能なメモリに蓄積できる無線通信装置において、前記メモリを複数装着することができ、電話回線等の無線通信回線を複数同時に使用可能であることを特徴とする無線通信装置。
【請求項２】
前記無線通信回線のための無線方式の無線部を備え、前記メモリ毎の個人データにかかわらず特定の前記無線通信回線を使用可能であることを特徴とする請求項１記載の無線通信装置。
【請求項３】
電話番号などの個人データが外部の着脱可能なメモリに蓄積できる無線通信装置に前記メモリを装着することで起きる位置登録にて、前記個人データにかかわらず特定の無線方式にて行うことを認識し、前記無線通信装置との送受信は、前記特定の無線方式の基地局にて行うことを特徴とする無線交換システム。
【請求項４】
電話番号などの個人データが外部の着脱可能なメモリに蓄積できる有線通信装置において、前記メモリを複数装着することができ、前記メモリを装着することにより固定電話回線等の有線通信回線に接続できる送受信部を備え、前記有線通信回線を介して前記個人データの通信を行うことができると共に、前記有線通信回線を複数の前記個人データで同時に使用可能であることを特徴とする有線通信装置。
【請求項５】
電話番号などの個人データが蓄積された外部の着脱可能なメモリを複数装着することができると共に固定電話回線等の有線通信回線に接続できる送受信部を備える有線通信装置に、前記メモリを装着することにより、前記個人データの通信を前記有線通信回線にて行うことを認識し、前記有線通信回線を介して通信を行うことができることを特徴とする有線交換システム。
【請求項６】
電話番号などの個人データにより通信可能な他の無線通信装置を接続するための接続手段を備え、前記接続手段を介して前記個人データを内部メモリに移行し、前記内部メモリに移行した前記個人データにより電話回線等の無線通信回線を複数同時に使用可能であることを特徴とする無線通信装置。
【請求項７】
電話番号などの個人データにより通信可能な他の無線通信装置を接続するための接続手段を備え、前記接続手段を介して前記個人データを内部メモリに移行し、前記内部メモリに移行した前記個人データにより固定電話回線等の有線通信回線を使用可能であることを特徴とする有線通信装置。
【請求項８】
電話番号などの個人データにより通信可能な他の無線通信装置で所定の操作をすることで前記他の無線通信装置から送信される前記個人データを受信するための送受信機を備え、前記受信機を介して前記個人データを内部メモリに移行し、前記内部メモリに移行した前記個人データにより電話回線等の無線通信回線を複数同時に使用可能であることを特徴とする無線通信装置。
【請求項９】
電話番号などの個人データにより通信可能な他の無線通信装置で所定の操作をすることで前記他の無線通信装置から送信される前記個人データを受信するための送受信機を備え、前記受信機を介して前記個人データを内部メモリに移行し、前記内部メモリに移行した前記個人データにより固定電話回線等の有線通信回線を使用可能であることを特徴とする有線通信装置。
【請求項１０】
所定の小電力無線部を備え、前記小電力無線部を備える他の機器と通信可能なことを特徴とする請求項１、請求項２又は請求項６記載の無線通信装置。
【請求項１１】
所定の小電力無線部を備え、前記小電力無線部を備える他の機器と通信可能なことを特徴とする請求項４、請求項７又は請求項９記載の有線通信装置。
【請求項１２】
ＬＡＮ等のネットワークと接続するためのネットワーク通信部を備え、前記ネットワークを介して通信可能なことを特徴とする請求項１、請求項２、請求項６又は請求項８記載の無線通信装置。
【請求項１３】
ＬＡＮ等のネットワークと接続するためのネットワーク通信部を備え、前記ネットワークを介して通信可能なことを特徴とする請求項４、請求項７又は請求項９記載の有線通信装置。
【請求項１４】
前記個人データを用いて通信を行う際に、本人であることを認識し通信を可能とする認識手段を備えることを特徴とする請求項１、請求項２、請求項６、請求項８又は請求項１２のいずれかに記載の無線通信装置。
【請求項１５】
前記個人データを用いて通信を行う際に、本人であることを認識し通信を可能とする認識手段を備えることを特徴とする請求項４、請求項７、請求項９又は請求項１３記載の有線通信装置。
【請求項１６】
電話番号などの個人データが蓄積されたメモリを無線通信装置に装着した後、前記無線通信装置が、電話回線等の無線通信回線を複数同時に使用可能となることを特徴とする無線通信方法。
【請求項１７】
電話回線等の無線通信回線を使用する無線通信装置に電話番号などの個人データが蓄積されたメモリを装着した後、前記無線通信装置が前記個人データを基に特定の無線通信方式の無線機を選択して前記個人データを基地局に送信し、前記個人データが前記基地局を介して交換機に送られることで、前記個人データを用いた通信は前記特定の無線方式でのみ行われることを特徴とする無線通信方法。
【請求項１８】
固定電話回線等の有線通信回線を使用する無線通信装置に電話番号などの個人データが蓄積されたメモリを装着した後、前記メモリを装着することにより送受信部が前記有線通信回線に接続可能となり、その後、前記有線通信回線を介して、前記メモリ内の個人データを用いた通信が前記有線通信回線で行われることを交換機に指示し、前記個人データを用いた通信は前記有線通信回線で行うこととなることを特徴とする有線通信方法。
【請求項１９】
電話番号などの個人データにより通信可能な他の無線通信装置を接続するための接続手段を備える無線通信装置に、前記他の無線通信装置が接続され、前記接続手段を介して前記個人データを前記無線通信装置の内部メモリに移行した後、前記無線通信装置が、前記内部メモリに移行した前記個人データにより電話回線等の無線通信回線を複数同時に使用可能となることを特徴とする無線通信方法。
【請求項２０】
電話番号などの個人データにより通信可能な他の無線通信装置を接続するための接続手段を備える有線通信装置に、前記他の無線通信装置が接続され、前記接続手段を介して前記個人データを前記有線通信装置の内部メモリに移行した後、前記有線通信装置が、前記内部メモリに移行した前記個人データにより固定電話回線等の有線通信回線を同時に使用可能となることを特徴とする有線通信方法。
【請求項２１】
電話番号などの個人データにより通信可能な他の無線通信装置で所定の操作をすることで前記他の無線通信装置から送信される前記個人データを受信するための送受信機を備える無線通信装置の内部メモリに、前記受信機を介して前記個人データを移行した後、前記無線通信装置が、前記内部メモリに移行した前記個人データにより電話回線等の無線通信回線を同時に使用可能となることを特徴とする無線通信方法。
【請求項２２】
電話番号などの個人データにより通信可能な他の無線通信装置で所定の操作をすることで前記他の無線通信装置から送信される前記個人データを受信するための送受信機を備える有線通信装置の内部メモリに、前記受信機を介して前記個人データを移行した後、前記有線通信装置が、前記内部メモリに移行した前記個人データにより固定電話回線等の有線通信回線を同時に使用可能となることを特徴とする有線通信方法。
【発明の詳細な説明】
【０００１】
【発明の属する技術分野】
本発明は電話番号などの個人データを１つの装置に蓄積でき、同時に複数の無線通信回線と接続できる無線通信装置に関する。
【０００２】
【従来の技術】
従来、無線通信装置である携帯電話装置は、１台につき１つの電話番号が割り当てられている。また電話番号などの個人データを外部のメモリに蓄積し、無線機を換えることでどの端末でも用いることも出来るが、それでも１台につき１つの番号である。
【０００３】
また、従来の複数電話番号移動電話機は、移動通信システムにおいて、１台の移動電話機で２以上の電話番号を持ち、いずれの電話番号でも発信できることは勿論、いずれの電話番号に対しても常時待ち受けを可能としている（例えば、特許文献１参照。）。
【０００４】
【特許文献１】
特許第２９９９６６７号公報（第３−５頁、第５図）
【０００５】
【発明が解決しようとする課題】
しかし、携帯電話装置では、１つの番号につき１台の携帯電話装置を持っていないと受信をすることが出来ないため、仕事、プライベートと使い分ける人は何台も携帯電話装置を持つ必要があり煩雑である。
また、電話番号などの個人データを外部のメモリに蓄積し、無線機器を換えることでどの端末でも用いることも出来るようにはなってきたが、それでも、１つの番号につき１台の携帯電話装置を持っていないと受信をすることが出来ない。また、上記の複数電話番号移動電話機は、内部のメモリに電話番号のみを複数持たせるものであり、複数の回線を同時に使用することはできないため、実質的には１つの番号につき１台の携帯電話装置を持っているのと同じで、何台も携帯電話装置を持つ必要があり煩雑である。
【０００６】
本発明では、従来の問題を解決するためになされたもので、扱いやすさが向上した無線通信装置を提供することができるものである。
【０００７】
【課題を解決するための手段】
本発明の無線通信装置は、メモリを複数装着することができ、電話回線等の無線通信回線を複数同時に使用可能である構成を有している。尚、各請求項における電話回線とは、携帯電話網における無線による電話回線を表している。
この構成により、複数の電話番号を同時に使用できることとなる。
【０００８】
また、本発明の無線通信装置は、無線通信回線のための無線方式の無線部を備え、メモリ毎の個人データにかかわらず特定の無線通信回線を使用可能である構成を有している。
この構成により、特定の無線方式の無線部だけ持てばよいため、無線通信装置の小型化が可能となる。
【０００９】
本発明の無線交換システムは、電話番号などの個人データが外部の着脱可能なメモリに蓄積できる無線通信装置に前記メモリを装着することで起きる位置登録にて、個人データにかかわらず特定の無線方式にて行うことを認識し、無線通信装置との送受信は、特定の無線方式の基地局にて行う構成を有している。
この構成により、その個人データを用いた通信は、その特定無線方式で行われるようになる。
【００１０】
本発明の有線通信装置は、メモリを複数装着することができ、メモリを装着することにより固定電話回線等の有線通信回線に接続できる送受信部を備え、有線通信回線を介して個人データの通信を行うことができると共に、有線通信回線を複数の個人データで同時に使用可能である構成を有している。
この構成により、メモリを装着する有線通信装置は、無線部や複数の送受信部を持つ必要がなくなり、小型化できる。
【００１１】
本発明の有線交換システムは、電話番号などの個人データが蓄積された外部の着脱可能なメモリを複数装着することができると共に固定電話回線等の有線通信回線に接続できる送受信部を備える有線通信装置に、メモリを装着することにより、個人データの通信を有線通信回線にて行うことを認識し、有線通信回線を介して通信を行うことができる構成を有している。
この構成により、その個人データを用いた通信は、その有線通信回線で行われるようになる。
【００１２】
さらに、本発明の無線通信装置は、電話番号などの個人データにより通信可能な他の無線通信装置を接続するための接続手段を備え、接続手段を介して個人データを内部メモリに移行し、内部メモリに移行した個人データにより電話回線等の無線通信回線を複数同時に使用可能である構成を有している。
この構成により、メモリをわざわざ着脱する必要はなく、他の無線通信装置を例えば充電台等の接続手段に接続するだけで、個人データの移行を行うことができる。
【００１３】
また、本発明の有線通信装置は、電話番号などの個人データにより通信可能な他の無線通信装置を接続するための接続手段を備え、接続手段を介して個人データを内部メモリに移行し、内部メモリに移行した個人データにより固定電話回線等の有線通信回線を使用可能である構成を有している。
この構成により、メモリをわざわざ着脱する必要はなく、他の無線通信装置を例えば充電台等の接続手段に接続するだけで、個人データの移行を行うことができる。
【００１４】
さらに、本発明の無線通信装置は、電話番号などの個人データにより通信可能な他の無線通信装置で所定の操作をすることで前記他の無線通信装置から送信される前記個人データを受信するための送受信機を備え、前記受信機を介して前記個人データを内部メモリに移行し、前記内部メモリに移行した前記個人データにより電話回線等の無線通信回線を複数同時に使用可能である構成を有している。
この構成により、メモリをわざわざ着脱する必要はなく、個人データの移行を行うことができる。
【００１５】
さらに、本発明の有線通信装置は、電話番号などの個人データにより通信可能な無線通信装置で所定の操作をすることで無線通信装置から送信される個人データを受信するための送受信機を備え、受信機を介して個人データを内部メモリに移行し、内部メモリに移行した個人データにより固定電話回線等の有線通信回線を使用可能である構成を有している。
この構成により、メモリをわざわざ着脱する必要はなく、個人データの移行を行うことができる。
【００１６】
さらに、本発明の無線通信装置は、所定の小電力無線部を備え、小電力無線部を備える他の機器と通信可能な構成を有している。尚、各請求項における小電力無線部とは、いわゆるトランシーバ、コードレス電話（子機）、無線ＬＡＮ、Ｂｌｕｅｔｏｏｔｈなどの、送信電力が小さく無線機単体では直接公衆通信網に接続できない無線手段をいう。
この構成により、小電力無線部を備える他の機器との通信を行うことによって、個人データを基に通信をすることができる。
【００１７】
さらに、本発明の有線通信装置は、所定の小電力無線部を備え、小電力無線部を備える他の機器と通信可能な構成を有している。
この構成により、小電力無線部を備える他の機器との通信を行うことによって、個人データを基に通信をすることができる。
【００１８】
さらに、本発明の無線通信装置は、ＬＡＮ等のネットワークと接続するためのネットワーク通信部を備え、前記ネットワークを介して通信可能な構成を有している。
この構成により、ネットワーク通信部を備える他の機器との通信を行うことによって、個人データを基に通信をすることができる。
【００１９】
さらに、本発明の有線通信装置は、ＬＡＮ等のネットワークと接続するためのネットワーク通信部を備え、前記ネットワークを介して通信可能な構成を有している。
この構成により、ネットワーク通信部を備える他の機器との通信を行うことによって、個人データを基に通信をすることができる。
【００２０】
さらに、本発明の無線通信装置は、前記個人データを用いて通信を行う際に、本人であることを認識し通信を可能とする認識手段を備える構成を有している。
この構成により、個人データを使っての送受信を行う際に、登録済みである暗証番号や指紋認識などによって本人であるという認識を行うことができる。
【００２１】
さらに、本発明の有線通信装置は、前記個人データを用いて通信を行う際に、本人であることを認識し通信を可能とする認識手段を備える構成を有している。
この構成により、個人データを使っての送受信を行う際に、登録済みである暗証番号や指紋認識などによって本人であるという認識を行うことができる。
【００２２】
本発明の無線通信方法は、電話番号などの個人データが蓄積されたメモリを無線通信装置に装着した後、無線通信装置が、電話回線等の無線通信回線を複数同時に使用可能となる構成を有している。
この構成により、無線通信装置が複数の個人データを同時に使用できることとなる。
【００２３】
また、本発明の無線通信方法は、電話回線等の無線通信回線を使用する無線通信装置に電話番号などの個人データが蓄積されたメモリを装着した後、無線通信装置が個人データを基に特定の無線通信方式の無線機を選択して個人データを基地局に送信し、個人データが基地局を介して交換機に送られることで、個人データを用いた通信は個人データにかかわらず特定の無線方式でのみ行われる構成を有している。
この構成により、特定の無線方式の無線部だけ持てばよいため、無線通信装置の小型化が可能となる。
【００２４】
本発明の有線通信方法は、固定電話回線等の有線通信回線を使用する無線通信装置に電話番号などの個人データが蓄積されたメモリを装着した後、メモリを装着することにより送受信部が有線通信回線に接続可能となり、その後、有線通信回線を介して、メモリ内の個人データを用いた通信が有線通信回線で行われることを交換機に指示し、個人データを用いた通信は有線通信回線で行うこととなる構成を有している。
この構成により、メモリを装着する有線通信装置は、無線部や複数の送受信部を持つ必要がなくなり、小型化できる。
【００２５】
さらに、本発明の無線通信方法は、電話番号などの個人データにより通信可能な他の無線通信装置を接続するための接続手段を備える無線通信装置に、他の無線通信装置が接続され、接続手段を介して個人データを無線通信装置の内部メモリに移行した後、無線通信装置が、内部メモリに移行した個人データにより電話回線等の無線通信回線を複数同時に使用可能となる構成を有している。
この構成により、メモリをわざわざ着脱する必要はなく、例えば充電台等の個人データが記憶された機器に乗せるだけで、個人データの移行を行うことができる。
【００２６】
また、本発明の有線通信方法は、電話番号などの個人データにより通信可能な他の無線通信装置を接続するための接続手段を備える有線通信装置に、他の無線通信装置が接続され、接続手段を介して個人データを有線通信装置の内部メモリに移行した後、有線通信装置が、内部メモリに移行した個人データにより固定電話回線等の有線通信回線を同時に使用可能となる構成を有している。
この構成により、メモリをわざわざ着脱する必要はなく、例えば充電器等の個人データが記憶された機器に接続するだけで、個人データの移行を行うことができる。
【００２７】
さらに、本発明の無線通信方法は、電話番号などの個人データにより通信可能な他の無線通信装置で所定の操作をすることで他の無線通信装置から送信される個人データを受信するための送受信機を備える無線通信装置の内部メモリに、受信機を介して個人データを移行した後、無線通信装置が、内部メモリに移行した個人データにより電話回線等の無線通信回線を同時に使用可能となる構成を有している。
この構成により、メモリをわざわざ着脱する必要はなく、個人データの移行を行うことができる。
【００２８】
さらに、本発明の有線通信方法は、電話番号などの個人データにより通信可能な他の無線通信装置で所定の操作をすることで他の無線通信装置から送信される個人データを受信するための送受信機を備える有線通信装置の内部メモリに、受信機を介して個人データを移行した後、有線通信装置が、内部メモリに移行した個人データにより固定電話回線等の有線通信回線を同時に使用可能となる構成を有している。
この構成により、メモリをわざわざ着脱する必要はなく、個人データの移行を行うことができる。
【００２９】
【発明の実施の形態】
以下、本発明の実施の形態について図面を用いて説明する。
本発明の第１の実施の形態における無線通信装置の構成を示すブロック図を図１に示す。
図１において、この無線通信装置は、アンテナ１によって複数の基地局からの無線信号を着信し、復調し、所定の信号に変換する複数の無線部である送受信機２ａ〜２ｃと、送受信機２ａ〜２ｃから信号を受け通話の制御している制御手段３と、着脱可能な電話番号等の個人データなどを蓄積した複数のメモリ７，８，９と、通信を行う際どの個人データを用いるか識別する識別手段６と、それぞれの個人データに既に登録してある表示方法を行う表示手段４と、呼び出し方法を行う呼出手段５とによって構成される。尚、この無線通信装置は、電話番号を基に通信を行う携帯電話装置や、その他電話番号以外の個人データと解される識別コードを基に通信を行う携帯電話装置以外の無線通信装置であってもよい。
【００３０】
次に、図１における無線通信装置を、携帯電話装置を例に、その動作を説明する。まず、電話番号の異なる個人データを蓄積したメモリ７，８，９を携帯電話装置に装着する。例えば、メモリ７には仕事用の電話番号の個人データ、メモリ８にはプライベート用の電話番号の個人データ、メモリ９にはその他の電話番号の個人データをそれぞれ蓄積してあるものとする。
【００３１】
制御手段３は識別手段６を介してメモリ７，８，９の装着を検出し、各メモリ７，８，９に対応する送受信機２ａ，２ｂ，２ｃを制御し、各電話番号による待ち受け状態に入る。すなわち、各電話番号に対応する無線通信回線である電話回線が複数同時に待ち受け状態となる。この状態で、例えば、仕事用の電話番号に電話が掛かってきた場合には、メモリ７の個人データを基に送受信機２ａが動作して、携帯電話装置が着信状態になる。このとき、表示手段４及び呼出手段５は、仕事用の電話番号で着信があった旨を報知する。他の電話番号により着信も同様であり、操作者は所定の操作で通話を開始するようにする。また、携帯電話装置から発信する場合には、使いたい自分の電話番号を選択した上で、相手先の電話番号を入力して電話を掛けるようにする。
【００３２】
このような本発明の第１の実施の形態によれば、メモリ７，８，９を複数装着することができ、電話回線等の無線通信回線を複数同時に使用可能にしたことにより、仕事、プライベートと使い分けて何台も携帯電話装置を持つ必要がなくなり、１台の無線通信装置（携帯電話装置）で複数の個人データ（電話番号）を同時に使用できることとなり、無線通信装置（携帯電話装置）の扱いやすさが向上する。
【００３３】
次に、本発明の第２の実施の形態における無線通信装置の構成を示すブロック図を図２に示す。
図２において、この無線通信装置は、アンテナ１によって特定の無線方式の基地局からの無線信号を着信し、復調し、所定の信号に変換する特定の無線方式の無線部である送受信機１０と、送受信機１０から信号を受け通話の制御している制御手段３と、着脱可能な電話番号等の個人データなどを蓄積した複数のメモリ７，８，９と、通信を行う際どの個人データを用いるか識別する識別手段６と、それぞれの個人データに既に登録してある表示方法を行う表示手段４と、呼び出し方法を行う呼出手段５とによって構成される。尚、この無線通信装置は、電話番号を基に通信を行う携帯電話装置や、その他電話番号以外の個人データと解される識別コードを基に通信を行う携帯電話装置以外の無線通信装置であってもよい。
【００３４】
次に、図２における無線通信装置を、携帯電話装置を例に、その動作を説明する。まず、電話番号の異なる個人データを蓄積したメモリ７，８，９を携帯電話装置に装着する。尚、図２におけるメモリ７，８，９は、図１に示すメモリ７，８，９と蓄積してある個人データも含め同一のものである。
【００３５】
制御手段３は識別手段６を介してメモリ７，８，９の装着を検出し、各メモリ７，８，９の電話番号で唯一の特定の無線方式の送受信機１０を制御し、各電話番号による待ち受け状態に入る。すなわち、各電話番号に別々の無線方式の無線通信回線を用いるのではなく、唯一の特定の無線方式の無線通信回線である電話回線のみで待ち受け状態となる。この状態で、例えば、仕事用の電話番号に電話が掛かってきた場合には、メモリ７の個人データを基に送受信機１０が動作して、携帯電話装置が着信状態になる。このとき、表示手段４及び呼出手段５は、仕事用の電話番号で着信があった旨を報知する。他の電話番号により着信も同様であり、操作者は所定の操作で通話を開始するようにする。また、携帯電話装置から発信する場合には、使いたい自分の電話番号を選択した上で、相手先の電話番号を入力して電話を掛けるようにする。
【００３６】
このような本発明の第２の実施の形態によれば、唯一の特定の無線方式の送受信機１０だけを備え、メモリ７，８，９毎に特定の無線通信回線のみを使用するため、たとえ各電話番号が異なる無線方式のものであっても、電話番号毎に無線部を用意する必要がなく、特定の無線方式の無線部だけ持てばよいため、無線通信装置の小型化が可能となる。
【００３７】
次に、本発明の第３の実施の形態における無線基地局の構成を示すブロック図を図３に示す。
図３において、この無線基地局は、無線交換システムであり、アンテナ３１によって特定の無線方式の無線信号を着信し、所定の信号に変換する特定の無線方式の送受信機３３と、個人データなどを蓄積したメモリを装着する携帯電話装置等の無線通信装置との通信を、この無線通信装置が通常使用する無線方式と異なる無線方式であっても、その特定の通信方式で行うということを固定電話網を介して交換機に伝える制御手段３２と、有線通信回線である固定電話網への接続を行う固定電話網接続手段３５と、固定電話回線との通信を行う固定電話回線送受信機３４とによって構成される。
【００３８】
次に、図３における無線基地局を、無線通信回線で通信する無線通信装置を携帯電話装置を例に、その動作を説明する。尚、この携帯電話装置は、図２に示す無線通信装置である。
【００３９】
この携帯電話装置から発信があった場合には、本来であれば携帯電話装置の電話番号が通常使用する無線方式と異なる無線方式での発信である旨を制御手段３２が検出する。次に、制御手段３２は、異なる無線方式にかかわらずこの電話番号で固定電話回線を集約した固定電話網に接続できるように信号制御を行う。このことにより、この携帯電話装置からの発信を電話番号や無線方式にかかわらず、固定電話網送受信機３４及び固定電話網接続手段３５を介して、固定電話網に接続して、通信可能な状態にする。
【００４０】
また、この携帯電話装置がこの無線基地局の無線エリアに入っていることを、携帯電話装置の位置登録動作で検知した場合、この携帯電話装置は、この無線基地局の基で待ち受け状態となる。そして、固定電話網を通じてこの携帯電話装置の電話番号に着信があった場合、制御手段３２は、固定電話網送受信機３４、固定電話網接続手段３５及び送受信機３３を介して固定電話網を、この携帯電話装置に接続する。尚、位置登録に関しては、携帯電話装置から発信する場合にも同様に行われているものとする。
【００４１】
このような本発明の第３の実施の形態によれば、電話番号などの個人データが外部の着脱可能なメモリに蓄積できる無線通信装置にメモリを装着することで起きる位置登録にて、個人データにかかわらず特定の無線方式にて行うことを認識し、無線通信装置との送受信は、特定の無線方式の基地局にて行う構成を有し、その個人データを用いた通信は、その特定無線方式で行われるようになる。このため、個人データにかかわらず特定の無線方式を使用でき、無線通信装置及び無線交換システムの汎用性が向上する。
【００４２】
次に、本発明の第４の実施の形態における有線通信装置の構成を示すブロック図を図４に示す。
図４において、この有線通信装置は、固定電話回線と接続する固定電話回線接続手段１１と、固定電話回線接続手段１１の信号で通信を行う固定電話回線送受信機１２と、固定電話回線送受信機１２から信号を受け通話の制御している制御手段３と、着脱可能な電話番号等の個人データなどを蓄積した複数のメモリ７，８，９と、通信を行う際どの個人データを用いるか識別する識別手段６と、それぞれの個人データに既に登録してある表示方法を行う表示手段４と、呼び出し方法を行う呼出手段５とによって構成される。尚、この有線通信装置は、電話番号を基に通信を行う固定電話装置や、その他電話番号以外の個人データと解される識別コードを基に通信を行う固定電話装置以外の有線通信装置であってもよい。
【００４３】
次に、図４における有線通信装置を、固定電話装置を例に、その動作を説明する。まず、電話番号の異なる個人データを蓄積したメモリ７，８，９を固定電話装置に装着する。尚、図４におけるメモリ７，８，９は、図１に示すメモリ７，８，９と蓄積してある個人データも含め同一のもでのである。
【００４４】
制御手段３は識別手段６を介してメモリ７，８，９の装着を検出し、各メモリ７，８，９の電話番号で唯一の固定電話回線送受信機１２を制御し、各電話番号で着信可能な状態に入る。すなわち、各電話番号に別々の有線通信回線を用いるのではなく、唯一の固定電話回線のみで着信可能な状態となる。この状態で、例えば、仕事用の電話番号に電話が掛かってきた場合には、メモリ７の個人データを基に固定電話回線送受信機１２が動作して、固定電話装置が着信状態になる。このとき、表示手段４及び呼出手段５は、仕事用の電話番号で着信があった旨を報知する。他の電話番号により着信も同様であり、操作者は所定の操作で通話を開始するようにする。また、固定電話装置から発信する場合には、使いたい自分の電話番号を選択した上で、相手先の電話番号を入力して電話を掛けるようにする。
【００４５】
このような本発明の第４の実施の形態によれば、メモリ７，８，９を複数装着することができ、メモリ７，８，９を装着することにより固定電話回線等の有線通信回線に接続できる固定電話回線送受信部１２を備え、固定電話回線を介して個人データの通信を行うことができると共に、固定電話回線を複数の個人データで同時に使用可能である。このため、メモリ７，８，９を装着する固定電話装置（有線通信装置）は、無線部や複数の固定電話回線送受信部１２を持つ必要がなくなり、小型化できる。また、本来であれば携帯電話装置の電話番号である個人データでも使用できることから、自宅や会社等の定まった場所に居る場合には、同じ電話番号でありながら、電話料金の安価な電話回線を使用できるようになる。
【００４６】
次に、本発明の第５の実施の形態における電話交換機の構成を示すブロック図を図５に示す。
図５において、この電話交換機は、有線交換システムであって、個々の固定電話装置が接続している固定電話回線と接続する固定電話回線接続手段３８と、固定電話回線の信号の通信を行う固定電話回線送受信機３７と、個人データなどを蓄積したメモリを装着する固定電話装置等の有線通信装置との通信を、この個人データが通常使用する無線通信回線とは異なる有線通信回線であっても、この固定電話回線を介して固定電話網に伝える制御手段３６と、固定電話網を介して他の電話交換機と接続するための固定電話網接続手段３５と、固定電話網の信号の通信を行う固定電話網送受信機３４によって構成される。
【００４７】
次に、図５における電話交換機を、有線通信回線で通信する有線通信装置を固定電話装置を例に、その動作を説明する。尚、この固定電話装置は、図４に示す固定通信装置である。
【００４８】
この固定電話装置から発信があった場合には、本来であれば電話番号が通常使用する無線電話回線のための電話番号での発信である旨を制御手段３６が検出する。次に、制御手段３６は、無線通信回線用の電話番号であることにかかわらずこの電話番号で固定電話回線を集約した固定電話網に接続できるように信号制御を行う。このことにより、この固定電話装置からの発信を電話番号にかかわらず、固定電話網送受信機３４及び固定電話網接続手段３５を介して、固定電話網に接続して、通信可能な状態にする。
【００４９】
また、固定電話網を通じてこの固定電話装置の電話番号に着信があった場合、制御手段３６は、固定電話網送受信機３４、固定電話網接続手段３５及び固定電話回線送受信機３８を介して固定電話網を、固定電話回線を用いてこの固定電話装置に接続する。
【００５０】
このような本発明の第５の実施の形態によれば、電話番号などの個人データが蓄積された外部の着脱可能なメモリを複数装着することができると共に固定電話回線等の有線通信回線に接続できる送受信部を備える固定電話装置に、メモリを装着することにより、個人データが無線通信回線用のものであったとしても、この個人データでの通信を固定電話回線にて行うことを認識し、固定電話回線を介して通信を行うことができる構成を有し、その個人データを用いた通信は、その固定電話回線で行われるようになる。このため、個人データにかかわらず固定電話回線を使用でき、有線通信装置及び有線交換システムの汎用性が向上する。
【００５１】
次に、本発明の第６の実施の形態における無線通信装置の構成を示すブロック図を図６に示す。
図６において、この無線通信装置は、アンテナ１によって複数の基地局からの無線信号を着信し、復調し、所定の信号に変換する複数の無線部である送受信機２ａ〜２ｃと、送受信機２ａ〜２ｃから信号を受け通話の制御している制御手段３と、他の無線通信装置２７〜２９を接続するための接続手段１５と、個人データを蓄積する内部メモリ１６と、通信を行う際どの個人データを用いるか切り替える識別手段６と、それぞれの個人データに既に登録してある表示方法を行う表示手段４と、呼び出し方法を行う呼出手段５とによって構成される。尚、この無線通信装置は、電話番号を基に通信を行う携帯電話装置や、その他電話番号以外の個人データと解される識別コードを基に通信を行う携帯電話装置以外の無線通信装置であってもよい。尚、無線通信装置２７〜２９は、図１に示す無線通信装置であってもよいし、個人データが１つだけ蓄積されたメモリを有する無線通信装置でもよく、少なくとも１つの個人データで通信可能な無線通信装置であればよい。
【００５２】
次に、図６における無線通信装置を、携帯電話装置を例に、その動作を説明する。まず、接続手段１５を介して接続されている外部接続装置１７〜１９に無線通信装置２７〜２９を接続する。無線通信装置２７〜２９も携帯電話装置で、外部接続装置１７〜１９は、携帯電話装置を接続するための充電台やアダプタ装置等である。すなわち、無線通信装置２７〜２９を例えば充電台に置くことで、図６の無線通信装置に接続されることになる。尚、無線通信装置２７〜２９には、図１で示すメモリ７〜９に蓄積されている電話番号等の個人データが、蓄積されている。無線通信装置２７〜２９を外部接続装置１７〜１９に接続すると、無線通信装置２７〜２９内の個人データは、内部メモり１６に移行され、図６の無線通信装置で使用可能な個人データとなる。
【００５３】
そして、制御手段３は識別手段６を介して内部メモリ１６の各個人データに対応する送受信機２ａ，２ｂ，２ｃを制御し、各電話番号による待ち受け状態に入る。すなわち、各電話番号に対応する無線通信回線である電話回線が複数同時に待ち受け状態となる。この状態で、例えば、仕事用の電話番号に電話が掛かってきた場合には、対応する個人データを基に送受信機２ａ〜２ｃが動作して、携帯電話装置が着信状態になる。このとき、表示手段４及び呼出手段５は、仕事用の電話番号で着信があった旨を報知する。他の電話番号により着信も同様であり、操作者は所定の操作で通話を開始するようにする。また、携帯電話装置から発信する場合には、使いたい自分の電話番号を選択した上で、相手先の電話番号を入力して電話を掛けるようにする。
【００５４】
このような本発明の第６の実施の形態によれば、メモリをわざわざ着脱する必要はなく、例えば充電台等の個人データが記憶された外部接続手段１７〜１９に乗せるだけで、個人データの移行を行うことができ、各無線通信装置２７〜２９での送受信を図６の１台の無線通信装置で行うことができるようになる。そして、家族みんなが個別に携帯電話装置を所有しているときなどは、食事中や団らん時にもみんなが携帯電話装置を身につけていなければ電話に応答することが出来ないといころ、１台の無線通信装置で送受信を行えるようになり、煩雑さが解消される。
【００５５】
尚、図６においては、無線通信装置として説明したが、送受信機２ａ〜２ｃ及びアンテナ１に換えて、固定電話回線送受信機及び固定電話回線接続手段を用いることで、複数の無線通信装置２７〜２９を同時に、有線通信装置として用いることも可能となる。
【００５６】
次に、本発明の第７の実施の形態における無線通信装置の構成を示すブロック図を図７に示す。
図７において、この無線通信装置は、アンテナ１によって基地局からの無線信号を着信し、復調し、所定の信号に変換する送受信機２ａ〜２ｃと、送受信機２ａ〜２ｃから信号を受け通話の制御している制御手段３と、それぞれの個人データが蓄積された他の無線通信装置で特定の処理をすることによって送信される個人データの信号を送受信するアンテナ２１並びに特定無線送受信機２０と、その移行された個人データを蓄積する内部メモリ１６と、通信を行う際どの個人データを用いるか切り替える識別手段６と、それぞれの個人データに既に登録してある表示方法を行う表示手段４と、呼び出し方法を行う呼出手段５とによって構成される。
【００５７】
次に、図７における無線通信装置を、携帯電話装置を例に、その動作を説明する。まず、例えば、他の無線通信装置であり携帯電話装置である無線通信装置２７側で、図７の無線通信装置と通信を行うためのキー入力等の所定の操作を行う。そして、無線通信装置２７と特定無線送受信機２０とが通信を行い、無線通信装置２７の電話番号などの個人データが、制御手段３を介して内部メモリ１６に移行される。そして、移行された個人データが、図７の無線通信装置の個人データとなる。尚、複数の他の無線通信装置２７が、特定無線送受信機２０と通信可能である場合には、複数の個人データが内部メモリ１６に移行されることになる。
【００５８】
そして、制御手段３は識別手段６を介して内部メモリ１６の各個人データに対応する送受信機２ａ，２ｂ，２ｃを制御し、各電話番号による待ち受け状態に入る。すなわち、各電話番号に対応する無線通信回線である電話回線が複数同時に待ち受け状態となる。この状態で、例えば、仕事用の電話番号に電話が掛かってきた場合には、対応する個人データを基に送受信機２ａ〜２ｃが動作して、携帯電話装置が着信状態になる。このとき、表示手段４及び呼出手段５は、仕事用の電話番号で着信があった旨を報知する。他の電話番号により着信も同様であり、操作者は所定の操作で通話を開始するようにする。また、携帯電話装置から発信する場合には、使いたい自分の電話番号を選択した上で、相手先の電話番号を入力して電話を掛けるようにする。
【００５９】
このような本発明の第７の実施の形態によれば、メモリをわざわざ着脱する必要はなく、他の無線通信装置２７を特定無線送受信機２０と通信可能なエリアに置いて、所定の操作をするのみで、個人データの移行を行うことができ、複数の他の無線通信装置での送受信を図７の１台の無線通信装置で行うことができるようになる。そして、家族みんなが個別に携帯電話装置を所有しているときなどは、食事中や団らん時にもみんなが携帯電話装置を身につけていなければ電話に応答することが出来ないといころ、１台の無線通信装置で送受信を行えるようになり、煩雑さが解消される。
【００６０】
尚、図７においては、無線通信装置として説明したが、送受信機２ａ〜２ｃ及びアンテナ１に換えて、固定電話回線送受信機及び固定電話回線接続手段を用いることで、複数の無線通信装置を同時に、有線通信装置として用いることも可能となる。
【００６１】
次に、本発明の第８の実施の形態における無線通信装置の構成を示すブロック図を図８に示す。
図８において、この無線通信装置は、本発明の第２の実施の形態における無線通信装置に、小電力無線の信号を送受信する小電力無線のアンテナ２２及び信号を所定の信号に変換する小電力無線送受信機２３を備えたものである。ここで、小電力無線とは、いわゆるトランシーバ、コードレス電話（子機）、無線ＬＡＮ、Ｂｌｕｅｔｏｏｔｈなどの、送信電力が小さく無線機単体では直接公衆通信網に接続できない無線方式をいう。
【００６２】
次に、図８における無線通信装置を、携帯電話装置を例に、その動作を説明する。まず、電話番号の異なる個人データを蓄積したメモリ７，８，９を携帯電話装置に装着する。例えば、メモリ７には仕事用の電話番号の個人データ、メモリ８にはプライベート用の電話番号の個人データ、メモリ９にはその他の電話番号の個人データをそれぞれ蓄積してあるものとする。
【００６３】
制御手段３は識別手段６を介してメモリ７，８，９の装着を検出し、各メモリ７，８，９の電話番号で唯一の特定の無線方式の送受信機１０を制御し、各電話番号による待ち受け状態に入る。すなわち、各電話番号に別々の無線方式の無線通信回線を用いるのではなく、唯一の特定の無線方式の無線通信回線である電話回線のみで待ち受け状態となる。この状態で、例えば、仕事用の電話番号に電話が掛かってきた場合には、メモリ７の個人データを基に送受信機１０が動作して、携帯電話装置が着信状態になる。このとき、表示手段４及び呼出手段５は、仕事用の電話番号で着信があった旨を報知する。他の電話番号により着信も同様であり、操作者は所定の操作で通話を開始するようにする。また、携帯電話装置から発信する場合には、使いたい自分の電話番号を選択した上で、相手先の電話番号を入力して電話を掛けるようにする。
【００６４】
また、この着信及び発信に使用する入力手段として、小電力無線送受信機２３を介して接続された小電力無線機を使用することも可能である。すなわち、いわゆるトランシーバ、コードレス電話（子機）、無線ＬＡＮ、Ｂｌｕｅｔｏｏｔｈなどの、送信電力が小さく無線機単体では直接無線通信回線に接続できない無線通信装置を、ハンドセットとして使用し、図８の無線通信装置で無線通信回線を用いた通信を行うものである。
【００６５】
このような本発明の第８の実施の形態によれば、所定の小電力無線送受信機２３を備え、小電力無線送受信機を備える他の機器と通信可能な構成とすることで、他の機器との通信を行うことによって、個人データを基に無線通信回線での通信をすることができる。
【００６６】
尚、図８においては、無線通信装置として説明したが、送受信機１０及びアンテナ１に換えて、固定電話回線送受信機及び固定電話回線接続手段を用いることで、有線通信装置として用いることも可能となる。また、小電力無線送受信機２３を本発明の第１〜７の実施の形態に示す無線通信装置及び有線通信装置に設けることも可能である。
【００６７】
次に、本発明の第９の実施の形態における無線通信装置の構成を示すブロック図を図９に示す。
図９において、この無線通信装置は、本発明の第２の実施の形態における無線通信装置に、ＬＡＮ（Ｌｏｃａｌ　Ａｒｅａ　Ｎｅｔｗｏｒｋ）などの構内ネットワーク２５に接続された機器と信号を送受信し所定の信号に変換する構内ネットワーク送受信機２４と、接続線である構内ネットワーク２５とを備えたものである。
【００６８】
次に、図９における無線通信装置を、携帯電話装置を例に、その動作を説明する。まず、電話番号の異なる個人データを蓄積したメモリ７，８，９を携帯電話装置に装着する。例えば、メモリ７には仕事用の電話番号の個人データ、メモリ８にはプライベート用の電話番号の個人データ、メモリ９にはその他の電話番号の個人データをそれぞれ蓄積してあるものとする。
【００６９】
制御手段３は識別手段６を介してメモリ７，８，９の装着を検出し、各メモリ７，８，９の電話番号で唯一の特定の無線方式の送受信機１０を制御し、各電話番号による待ち受け状態に入る。すなわち、各電話番号に別々の無線方式の無線通信回線を用いるのではなく、唯一の特定の無線方式の無線通信回線である電話回線のみで待ち受け状態となる。この状態で、例えば、仕事用の電話番号に電話が掛かってきた場合には、メモリ７の個人データを基に送受信機１０が動作して、携帯電話装置が着信状態になる。このとき、表示手段４及び呼出手段５は、仕事用の電話番号で着信があった旨を報知する。他の電話番号により着信も同様であり、操作者は所定の操作で通話を開始するようにする。また、携帯電話装置から発信する場合には、使いたい自分の電話番号を選択した上で、相手先の電話番号を入力して電話を掛けるようにする。
【００７０】
また、この着信及び発信に使用する入力手段として、構内ネットワーク送受信機２４及び構内ネットワーク２５を介して接続されたコンピュータなどの機器を使用することも可能である。すなわち、音声の送受信ができ且つ構内ネットワーク２５に接続できる機器を、ハンドセットとして使用し、図９の無線通信装置で無線通信回線を用いた通信を行うものである。
【００７１】
このような発明の第９の実施の形態によれば、構内ネットワーク送受信機２４を備え、構内ネットワーク２５に接続可能な他の機器と通信可能な構成とすることで、他の機器との通信を行うことによって、個人データを基に無線通信回線での通信をすることができる。
【００７２】
尚、図９においては、無線通信装置として説明したが、送受信機１０及びアンテナ１に換えて、固定電話回線送受信機及び固定電話回線接続手段を用いることで、有線通信装置として用いることも可能となる。また、構内ネットワーク送受信機２４を本発明の第１〜８の実施の形態に示す無線通信装置及び有線通信装置に設けることも可能である。
【００７３】
次に、本発明の第１０の実施の形態における無線通信装置の構成を示すブロック図を図１０に示す。
図１０において、この無線通信装置は、本発明の第１の実施の形態における無線通信装置に、個人データを使って送受信を行う際に、すでに登録済みである暗証番号や指紋認識などによって本人であるという認識をする認識手段２６を備えたものである。
【００７４】
次に、図１０における無線通信装置を、携帯電話装置を例に、その動作を説明する。まず、電話番号の異なる個人データを蓄積したメモリ７，８，９を携帯電話装置に装着する。例えば、メモリ７には仕事用の電話番号の個人データ、メモリ８にはプライベート用の電話番号の個人データ、メモリ９にはその他の電話番号の個人データをそれぞれ蓄積してあるものとする。
【００７５】
制御手段３は識別手段６を介してメモリ７，８，９の装着を検出し、各メモリ７，８，９に対応する送受信機２ａ，２ｂ，２ｃを制御し、各電話番号による待ち受け状態に入る。すなわち、各電話番号に対応する無線通信回線である電話回線が複数同時に待ち受け状態となる。この状態で、例えば、仕事用の電話番号に電話が掛かってきた場合には、メモリ７の個人データを基に送受信機２ａが動作して、携帯電話装置が着信状態になる。このとき、表示手段４及び呼出手段５は、仕事用の電話番号で着信があった旨を報知する。他の電話番号により着信も同様であり、操作者は認識手段２６に対して所定の操作を行った上で通話を開始するようにする。
【００７６】
認識手段２６に対して行う所定の操作とは、すでに認識手段２６に登録済みである暗証番号を入力する操作であったり、認識手段２６が指紋により本人を認識するものである場合には指紋を認識させる操作である。尚、暗証番号入力や指紋入力に限られるものではなく、認識手段２６は使用を許された本人であることを認識できるものであればよい。尚、携帯電話装置から発信する場合には、認識手段２６に対して所定の操作を行い、発信が許された本人であることを認識させ、使いたい自分の電話番号を選択した上で、相手先の電話番号を入力して電話を掛けるようにする。
【００７７】
このような本発明の第１０の実施の形態によれば、認識手段２６を備え、個人データを使って送受信を行う際には、すでに登録済みである暗証番号や指紋認識などによって本人であるという認識をし、家族で無線通信装置を使用しても各人の個人データを用いた通話は本人のみしか行うことができず、プライバシーの保護を行うことができる。
【００７８】
尚、図１０においては、無線通信装置として説明したが、送受信機２ａ〜２ｃ及びアンテナ１に換えて、固定電話回線送受信機及び固定電話回線接続手段を用いることで、有線通信装置として用いることも可能となる。また、認識手段２６を本発明の第１〜９の実施の形態に示す無線通信装置及び有線通信装置に設けることも可能である。
【００７９】
次に、本発明の第１１の実施の形態における無線通信方法を説明するためのフローチャートを図１１に示し、本実施の形態の無線通信方法について説明する。まず、第１の実施の形態に示す無線通信装置に個人データが記憶されたメモリが少なくとも１つ装着されているか認識する（Ｓ１１０１）。このメモリがない場合は無線通信はできない（Ｓ１１０５）。メモリを認識すると、そのメモリの個人データを読み込み（Ｓ１１０２）、その個人データで無線通信を行うことができるようになる（Ｓ１１０３）。そのメモリをはずす（Ｓ１１０４）と無線通信はできなくなり、メモリをはずさなければ無線通信可の状態がつづく。
【００８０】
このような本発明の第１１の実施の形態によれば、電話番号などの個人データが蓄積されたメモリを無線通信装置に装着した後、無線通信装置が、電話回線等の無線通信回線を複数同時に使用可能となり、無線通信装置の扱いやすさが向上する。
【００８１】
次に、本発明の第１２の実施の形態における無線通信方法を説明するためのフローチャートを図１２に示し、本実施の形態の無線通信方法について説明する。まず、第２の実施の形態に示す無線通信装置に個人データが記憶されたがメモリが装着されているか認識する（Ｓ１２０１）。このメモリがない場合は無線通信はできない（Ｓ１２０５）。メモリを認識すると、そのメモリの個人データを読み込み（Ｓ１２０２）、そのデータを通常用いて使用している無線通信装置の無線方式に関わらず、特定の無線方式で通信を行うことができるようになる（Ｓ１２０３）。そのメモリをはずす（Ｓ１２０４）と無線通信はできなくなり、メモリをはずさなければ無線通信可の状態がつづく。
【００８２】
このような本発明の第１２の実施の形態によれば、メモリ毎に特定の無線通信回線のみを使用するため、たとえ各電話番号が異なる無線方式のものであっっても、電話番号毎に無線部を用意する必要がなく、特定の無線方式の無線部だけ持てばよいため、無線通信装置の小型化が可能となる。
【００８３】
次に、本発明の第１３の実施の形態における有線通信方法を説明するためのフローチャートを図１３に示し、本実施の形態の有線通信方法について説明する。まず、第４の実施の形態に示す無線通信装置に個人データが記憶されたがメモリが装着されているか認識する（Ｓ１３０１）。このメモリがない場合は通信はできない（Ｓ１３０７）。メモリを認識すると、そのメモリの個人データを読み込み（Ｓ１３０２）、そのデータを用いた通信は固定電話回線を用いて行うという情報を固定電話回線を介して電話交換機に送信する（Ｓ１３０３）。交換機でそれを認識すれば通信が可能になる（Ｓ１３０４）。それによりこの個人データの通信は無線通信の基地局を介さなくなる。そしてそのメモリをはずす（Ｓ１３０５）と交換機に送信した情報は無効になり（Ｓ１３０６）、通信はできなくなる（Ｓ１３０７）。メモリをはずさなければ通信可の状態がつづく。
【００８４】
このような本発明の第１３の実施の形態によれば、固定電話回線を介して個人データの通信を行うことができると共に、固定電話回線を複数の個人データで同時に使用可能である。このため、有線通信装置は、無線部や複数の固定電話回線送受信部１２を持つ必要がなくなり、小型化できる。
【００８５】
次に、本発明の第１４の実施の形態における無線通信方法を説明するためのフローチャートを図１４に示し、本実施の形態の無線通信方法について説明する。まず、第６の実施の形態に示す無線通信装置に他の無線通信装置（例えば、携帯電話装置）が接続されているか認識する（Ｓ１４０１）。携帯電話装置が接続されていない場合は無線通信はできない（Ｓ１４０５）。携帯電話装置が接続されているのを認識すると、携帯電話装置内部のメモリの個人データを読み込み（Ｓ１４０２）、そのデータで無線通信を行うことができるようになる（Ｓ１４０３）。携帯電話装置をはずす（Ｓ１４０４）と無線通信はできなくなり、はずさなければ無線通信可の状態がつづく。
【００８６】
このような本発明の第１４の実施の形態によれば、無線通信装置にメモリをわざわざ着脱する必要はなく、他の無線通信装置である携帯電話装置を、例えば充電台等の外部接続手段に接続するだけで、個人データの移行を行うことができ、各携帯電話装置での送受信を１台の無線通信装置で行うことができるようになる。そして、家族みんなが個別に携帯電話装置を所有しているときなどは、食事中や団らん時にもみんなが携帯電話装置を身につけていなければ電話に応答することが出来ないところ、１台の無線通信装置で送受信を行えるようになり、煩雑さが解消される。
【００８７】
尚、図１４においては、無線通信装置として説明したが、固定電話回線送受信機及び固定電話回線接続手段を用いて固定電話回線を使用して有線通信を行う有線通信方法として用いることも可能となる。
【００８８】
次に、本発明の第１５の実施の形態における無線通信方法を説明するためのフローチャートを図１５に示し、本実施の形態の無線通信方法について説明する。まず、第７の実施の形態に示す無線通信装置に他の無線通信装置（例えば、携帯電話装置）から個人データを送るというような特定の無線が送られてきたことを認識することができたら（Ｓ１５０１）、その内部メモリの個人データを読み込み（Ｓ１５０２）、そのデータで無線通信を行うことができるようになる（Ｓ１５０３）。再び携帯電話装置から個人データを逆に送ってほしいというような特定の無線を受信した時（Ｓ１５０４）は、無線通信装置から特定の無線を送り（Ｓ１５０５）、その無線を携帯電話装置が正しく受信したことが確認されたら（Ｓ１５０６）、無線通信はできなくなる（Ｓ１５０７）。その特定無線が受信されない時は無線通信可の状態がつづく。
【００８９】
このような本発明の第１５の実施の形態によれば、メモリをわざわざ着脱する必要はなく、他の無線通信装置を特定無線送受信可能なエリアに置いて、所定の操作をするのみで、個人データの移行を行うことができ、複数の他の無線通信装置での送受信を１台の無線通信装置で行うことができるようになる。そして、家族みんなが個別に携帯電話装置を所有しているときなどは、食事中や団らん時にもみんなが携帯電話装置を身につけていなければ電話に応答することが出来ないところ、１台の無線通信装置で送受信を行えるようになり、煩雑さが解消される。
【００９０】
尚、図１５においては、無線通信装置として説明したが、固定電話回線送受信機及び固定電話回線接続手段を用いて固定電話回線を使用して有線通信を行う有線通信方法として用いることも可能となる。
【００９１】
【発明の効果】
以上のように本発明は、メモリを複数装着することができ、電話回線等の無線通信回線を複数同時に使用可能にしたことにより、仕事、プライベートと使い分けて何台も無線通信装置を持つ必要がなくなり、１台の無線通信装置で複数の個人データを同時に使用できることとなり、扱いやすさが向上した無線通信装置を提供することができるものである。
【図面の簡単な説明】
【図１】本発明の第１の実施の形態における無線通信装置の構成を示すブロック図
【図２】本発明の第２の実施の形態における無線通信装置の構成を示すブロック図
【図３】本発明の第３の実施の形態における無線基地局の構成を示すブロック図
【図４】本発明の第４の実施の形態における有線通信装置の構成を示すブロック図
【図５】本発明の第５の実施の形態における電話交換機の構成を示すブロック図
【図６】本発明の第６の実施の形態における無線通信装置の構成を示すブロック図
【図７】本発明の第７の実施の形態における無線通信装置の構成を示すブロック図
【図８】本発明の第８の実施の形態における無線通信装置の構成を示すブロック図
【図９】本発明の第９の実施の形態における無線通信装置の構成を示すブロック図
【図１０】本発明の第１０の実施の形態における無線通信装置の構成を示すブロック図
【図１１】本発明の第１１の実施の形態における無線通信方法を説明するためのフローチャート
【図１２】本発明の第１２の実施の形態における無線通信方法を説明するためのフローチャート
【図１３】本発明の第１３の実施の形態における有線通信方法を説明するためのフローチャート
【図１４】本発明の第１４の実施の形態における無線通信方法を説明するためのフローチャート
【図１５】本発明の第１５の実施の形態における無線通信方法を説明するためのフローチャート
【符号の説明】
１　アンテナ
２ａ〜２ｃ　送受信機
３　制御手段
４　表示手段
５　呼出手段
６　識別手段
７　メモリ
８　メモリ
９　メモリ
１０　送受信機
１１　固定電話回線接続手段
１２　固定電話回線送受信機
１５　接続手段
１６　内部メモリ
１７　外部接続手段
１８　外部接続手段
１９　外部接続手段
２０　特定無線送受信機
２１　アンテナ
２２　アンテナ
２３　小電力無線送受信機
２４　構内ネットワーク送受信機
２５　構内ネットワーク
２６　認識手段
２７〜２９　無線通信装置
３１　アンテナ
３３　送受信機
３４　固定電話網送受信機
３５　固定電話網接続手段
３６　制御手段
３７　固定電話回線送受信機
３８　固定電話回線接続手段
【図１】
2004104298.tif 000003
【図２】
2004104298.tif 000004
【図３】
2004104298.tif 000005
【図４】
2004104298.tif 000006
【図５】
2004104298.tif 000007
【図６】
2004104298.tif 000008
【図７】
2004104298.tif 000009
【図８】
2004104298.tif 000010
【図９】
2004104298.tif 000011
【図１０】
2004104298.tif 000012
【図１１】
2004104298.tif 000013
【図１２】
2004104298.tif 000014
【図１３】
2004104298.tif 000015
【図１４】
2004104298.tif 000016
【図１５】
2004104298.tif 000017